(57)【特許請求の範囲】
【請求項１】
表示部と、
前記表示部に隣接して配置され、複数の機能グループのうちの選択されている１つの機能グループに含まれる機能が割り当てられる複数の操作スイッチと、
前記複数の操作スイッチに隣接して配置された簡易表示部と、
コンピュータを有する制御部と、を有し、
前記制御部が、
前記複数の操作スイッチに割り当てられた機能を示す機能ラベルを前記表示部に表示する機能ラベル表示制御部と、
前記表示部の表示機能を停止する表示機能停止部と、
少なくとも前記表示機能停止部が前記表示部の表示機能を停止している期間に、前記選択されている前記機能グループを前記簡易表示部に表示する機能グループ表示制御部と、として機能し、
前記複数の機能グループのそれぞれには互いに異なる色が対応づけられ、
前記簡易表示部が、前記複数の機能グループのそれぞれに対応づけられた色で発光可能な発光部を有し、
前記機能グループ表示制御部が、前記選択されている機能グループに対応した色で前記発光部を発光させることにより、前記選択されている前記機能グループを前記簡易表示部に表示することを特徴とする成形機に備えられる表示操作装置。
【請求項２】
請求項１に記載の表示操作装置において、
前記表示機能停止部が、前記表示部の発光を停止することにより前記表示部の表示機能を停止する、成形機に備えられる表示操作装置。
【請求項３】
請求項１または請求項２に記載の表示操作装置において、
前記発光部が、前記複数の操作スイッチを囲むように配置されている、成形機に備えられる表示操作装置。
【請求項４】
請求項１〜請求項３のいずれか一項に記載の表示操作装置において、
前記機能ラベル表示制御部が、前記操作スイッチに操作が入力されたとき、当該操作スイッチに対応する機能ラベルの表示を変化させる、成形機に備えられる表示操作装置。
【請求項５】
請求項１〜請求項４のいずれか一項に記載の表示操作装置において、
前記表示部に重ねて配置されたタッチパネルをさらに有し、
前記制御部が、前記タッチパネルへの機能グループ選択切替操作の入力に応じて前記複数の機能グループのうちの選択されている機能グループを切り替える機能グループ切替部としてさらに機能し、
前記機能グループ選択切替操作が、前記タッチパネルの表面に接触させた操作体を所定方向に滑らせたのち前記タッチパネルの表面から離すスワイプ操作である、成形機に備えられる表示操作装置。
【請求項６】
請求項１〜請求項５のいずれか一項に記載の表示操作装置と、
前記表示操作装置に入力された操作に応じて動作する成形装置と、を備えたことを特徴とする成形機。
【発明の詳細な説明】
【技術分野】
【０００１】
本発明は、例えば、射出成形機やダイカストマシン等の成形機などが備える表示操作装置、および、この表示操作装置を備える成形機に関する。
【背景技術】
【０００２】
特許文献１に射出成形機の表示装置が開示されている。この表示装置は、表示部と複数のダイレクト画面選択ボタンとを有しており、複数のダイレクト画面選択ボタンのうちのいずれか１つが押されると、押されたボタンに割り当てられた画面を表示部に表示する。すなわち、この表示装置は複数のダイレクト画面選択ボタンの操作に応じて複数の画面の切り替えを行う。
【０００３】
上述した表示装置では、複数のダイレクト画面選択ボタンのそれぞれに１つの画面が割り当てられている。そのため、少なくとも切り替えるべき画面数と同数のダイレクト画面選択ボタンが必要となる。そして、ダイレクト画面選択ボタンの数を削減するために、複数のダイレクト画面選択ボタンに２つ以上の画面を割り当てるとともに、各ボタンへの画面の割り当てを動的に切り替える構成が考えられる。
【０００４】
このような構成の一例として図８に示す表示装置８００は、タッチパネルを有する液晶ディスプレイ装置からなる表示部８１０と、表示部８１０の下縁８１０ａに隣接して配置された複数のダイレクト画面選択ボタン８２１〜８２４とを備えている。この表示装置８００は全部で１２種類の画面を有しており、１２種類の画面が４種類ずつ３つのグループに分けられている。そして、表示装置８００は、３つのグループのうちの選択されている１つのグループに属する４種類の画面を各ダイレクト画面選択ボタン８２１〜８２４に割り当て、これら４種類の画面を示すラベルを、各ダイレクト画面選択ボタン８２１〜８２４に対応するように表示部８１０の下部に表示する。
【０００５】
例えば、第１のグループが選択されているときは、図８（ａ）に示すように、各ダイレクト画面選択ボタン８２１〜８２４に割り当てられた４種類の画面のそれぞれを示すラベル８１１ａ〜８１４ａを表示する。第２のグループが選択されているときは、図８（ｂ）に示すように、各ダイレクト画面選択ボタン８２１〜８２４に割り当てられた４種類の画面のそれぞれを示すラベル８１１ｂ〜８１４ｂを表示する。第３のグループが選択されているときは、図８（ｃ）に示すように、各ダイレクト画面選択ボタン８２１〜８２４に割り当てられた４種類の画面のそれぞれを示すラベル８１１ｃ〜８１４ｃを表示する。表示部８１０のタッチパネルに左スワイプ操作を入力することにより、第１→第２→第３→第１→・・、の順に選択されているグループが切り替わり、右スワイプ操作を入力することにより、第１→第３→第２→第１→・・の順に選択されているグループが切り替わる。
【先行技術文献】
【特許文献】
【０００６】
【特許文献１】特開２００１−１４５９４７号公報
【発明の概要】
【発明が解決しようとする課題】
【０００７】
上述した表示装置８００は、一定期間にわたって操作が入力されないと液晶ディスプレイ装置のバックライトを消灯して省電力モードに移行する。これにより、省電力モードでは表示部８１０が暗くなり、図８（ｄ）に示すように上記ラベルを十分に視認できない。そして、このような上記ラベルが十分に視認できないことによりダイレクト画面選択ボタンに割り当てられている画面を認識できない状態でも、操作者が自己の記憶を頼りに現在選択されているグループおよび各ボタンに割り当てられている画面を推定してダイレクト画面選択ボタンを操作することがある。このとき操作者の推定に誤りがあると意図しない操作が入力されてしまうおそれがある。なお、この表示装置８００では、各ダイレクト画面選択ボタンに表示すべき画面（即ち、画面切替機能）が割り当てられているものであったが、例えば、画面に代えて、各ボタンに型開閉や射出等の射出成形に係る機能などが割り当てられている場合も同様である。
【０００８】
本発明は、操作スイッチに割り当てられた機能を認識できない状態において操作スイッチに入力される操作の精度を効果的に高めることができる表示操作装置およびそれを備える成形機を提供することを目的とするものである。
【課題を解決するための手段】
【０００９】
上記目的を達成するために、本発明の一態様の成形機に備えられる表示操作装置は、表示部と、前記表示部に隣接して配置され、複数の機能グループのうちの選択されている１つの機能グループに含まれる機能が割り当てられる複数の操作スイッチと、前記複数の操作スイッチに隣接して配置された簡易表示部と、コンピュータを有する制御部と、を有し、前記制御部が、前記複数の操作スイッチに割り当てられた機能を示す機能ラベルを前記表示部に表示する機能ラベル表示制御部と、前記表示部の表示機能を停止する表示機能停止部と、少なくとも前記表示機能停止部が前記表示部の表示機能を停止している期間に、前記選択されている前記機能グループを前記簡易表示部に表示する機能グループ表示制御部と、として機能し、前記複数の機能グループのそれぞれには互いに異なる色が対応づけられ、前記簡易表示部が、前記複数の機能グループのそれぞれに対応づけられた色で発光可能な発光部を有し、前記機能グループ表示制御部が、前記選択されている機能グループに対応した色で前記発光部を発光させることにより、前記選択されている前記機能グループを前記簡易表示部に表示することを特徴とする。
【００１０】
本発明によれば、表示部に比べて簡易的な構成の簡易表示部を有しており、表示部の表示機能が停止されることにより複数の操作スイッチに割り当てられた機能を示す機能ラベルが表示されない状態でも、選択されている機能グループを簡易表示部に表示する。このようにしたことから、操作者が、選択されている機能グループをより確実に認識することができるので、操作スイッチに割り当てられた機能の推定範囲を狭めることができる。そのため、操作スイッチに割り当てられた機能を認識できない状態において入力される操作の精度を効果的に高めることができる
また、選択されている機能グループを発光部が発光する色によって表示することができ、簡易な構成で機能グループを表示することができる。
【００１１】
本発明においては、前記表示機能停止部が、前記表示部の発光を停止することにより前記表示部の表示機能を停止することが好ましい。
【００１２】
本発明においては、前記発光部が、前記複数の操作スイッチを囲むように配置されていてもよい。このようにすることで、複数の操作スイッチと発光部とが互いに関連している印象をより強く与えることができ、操作者が発光部が発光する色の意味をより確実に認識することができる。
【００１３】
本発明においては、前記機能ラベル表示制御部が、前記操作スイッチに操作が入力されたとき、当該操作スイッチに対応する機能ラベルの表示を変化させることが好ましい。このようにすることで、操作者が、操作を入力した操作スイッチおよびその操作スイッチに割り当てられた機能をより確実に認識することができる。
【００１４】
本発明においては、前記表示部に重ねて配置されたタッチパネルをさらに有し、前記制御部が、前記タッチパネルへの機能グループ選択切替操作の入力に応じて前記複数の機能グループのうちの選択されている機能グループを切り替える機能グループ切替部としてさらに機能し、前記機能グループ選択切替操作が、前記タッチパネルの表面に接触させた操作体を所定方向に滑らせたのち前記タッチパネルの表面から離すスワイプ操作であることが好ましい。このようにすることで、直感的な操作で選択されている機能グループの切り替えを行うことができる。
【００１５】
上記目的を達成するために、本発明の他の一態様の成形機は、上述した表示操作装置と、前記表示操作装置に入力された操作に応じて動作する成形装置と、を備えたことを特徴とする。本発明によれば、上述した表示操作装置を備えているので、操作スイッチに割り当てられた機能の推定範囲を狭めることができる。そのため、操作スイッチに割り当てられた機能を認識できない状態において入力される操作の精度を効果的に高めることができる
【発明の効果】
【００１６】
本発明によれば、操作スイッチに割り当てられた機能を認識できない状態において入力される操作の精度を効果的に高めることができるので、意図しない操作が入力されることを抑制することができる。
【図面の簡単な説明】
【００１７】
【図１】本発明の一実施形態に係る射出成形機の正面図である。
【図２】図１の射出成形機が備える表示操作装置の正面図である。
【図３】図１の射出成形機の概略構成を示す機能ブロック図である。
【図４】図２の表示操作装置において複数の操作スイッチに第１の機能グループに含まれる機能が割り当てられた状態の一例を示す図である。
【図５】図２の表示操作装置において複数の操作スイッチに第２の機能グループに含まれる機能が割り当てられた状態の一例を示す図である。
【図６】図２の表示操作装置の一部を拡大した図である。
【図７】図２の表示操作装置の変形例の構成を示す正面図である。
【図８】従来の表示装置の正面図である。
【発明を実施するための形態】
【００１８】
以下、本発明の一実施形態に係る射出成形機について、図１〜図６を参照して説明する。
【００１９】
図１は、本発明の一実施形態に係る射出成形機の正面図である。図２は、図１の射出成形機が備える表示操作装置の正面図である。図３は、図１の射出成形機の概略構成を示す機能ブロック図である。図４は、複数の操作スイッチに第１の機能グループに含まれる機能が割り当てられた状態の一例を示す図であり、図５は、複数の操作スイッチに第２の機能グループに含まれる機能が割り当てられた状態の一例を示す図である。図６は、図２の表示操作装置の一部を拡大した図である。
【００２０】
図１に示すように、射出成形機１は、成形装置１０と、表示操作装置２０と、を備えている。
【００２１】
成形装置１０は、例えば、（１）加熱シリンダ、（２）加熱シリンダ内に回転可能かつ前後進可能に収納されたスクリュー、（３）加熱シリンダの末端側に備えられ、スクリューの溝内に原料樹脂を供給するホッパ、（４）加熱シリンダの先端側に備えられ、金型が設置される型締装置、（５）加熱シリンダを加熱するバンドヒータ、（６）スクリューを回転させる駆動部、（７）スクリューを前後進移動させる駆動部、（８）型締装置において金型の開閉、成形品の突出しを行うための駆動部、（９）上記（１）〜（８）に含まれる駆動部を駆動するドライバ群、（１０）射出成形に係る各種情報を検出するセンサ群、および（１１）コントローラ、などを有している。
【００２２】
成形装置１０のコントローラは、成形装置１０の全体の動作を司る機能部であり、コンピュータを有して構成されている。成形装置１０のコントローラは、例えば、可塑化動作、射出動作、型開閉動作、エジェクト動作等の成形行程全体の制御や、センサ群の実測値の演算・格納処理、良品／不良品の判定処理、異常判定処理等の演算・判定処理などの射出成形に係る一連の射出成形動作を実行する。さらに、成形装置１０のコントローラは、後述する表示操作装置２０と通信可能に接続されており、表示操作装置２０に各種表示情報を送信するとともに、表示操作装置２０から各種機能実行指令情報を受信する。
【００２３】
表示操作装置２０は、図２、図３に示すように、表示部２１と、タッチパネル２２と、操作スイッチ４１〜５０と、簡易表示部５５と、制御部６０とを有している。
【００２４】
表示部２１は、例えば、液晶ディスプレイや有機ＥＬディスプレイなどのフラットパネルディスプレイで構成されている。表示部２１は、後述する制御部６０から出力された表示制御情報に基づき、数値や画像、グラフなどの各種情報、および、テキスト入力エリア、キーボード、テンキーなどの操作アイテムを表示する。
【００２５】
タッチパネル２２は、表示部２１の表示面に重ねて配置されている。タッチパネル２２は、例えば、表示部２１に表示された上記操作アイテムに対応する箇所に利用者によって接触操作が入力される。ここで、接触操作には、例えば、タップ（指やタッチ操作ペンなどの操作体で比較的短い期間接触する）、ロングタップ（操作体で比較的長い期間接触する）、フリック（操作体を接触して所定方向に短く払う（短くスライドする））及びスワイプ（タッチパネルの表面に接触させた操作体を接触させたまま一方向に滑らせたのちタッチパネルの表面から離す）などがある。
【００２６】
操作スイッチ４１〜５０は、例えば、押しボタンスイッチであって、表示部２１の下縁に沿って水平方向に並べて配置されている。本実施形態において、操作スイッチ４１〜５０に割り当てられるべき機能は２０種類あり、これら２０種類の機能が第１の機能グループＧ１および第２の機能グループＧ２に振り分けられている。そして、操作スイッチ４１〜５０には、第１の機能グループＧ１および第２の機能グループＧ２のうちの選択されている機能グループに含まれる機能が動的に割り当てられる。
【００２７】
第１の機能グループＧ１に含まれる機能は、「型開」、「型閉」、「ＥＪ後退」、「ＥＪ前進」、「射出」、「可塑化」、「ＮＺタッチ」、「ＮＺバック」、「型厚後退」、「型厚前進」である。第１の機能グループＧ１が選択されているとき、これら機能が操作スイッチ４１〜５０のそれぞれに割り当てられる。第１の機能グループＧ１には、赤色が対応づけられている。
【００２８】
第２の機能グループＧ２に含まれる機能は、「中子１戻」、「中子１入」、「中子２戻」、「中子２入」、「中子３戻」、「中子３入」、「エア１」、「エア２」、「エア３」、「エア４」である。第２の機能グループＧ２が選択されているとき、これら機能が操作スイッチ４１〜５０のそれぞれに割り当てられる。第２の機能グループＧ２には、黄色が対応づけられている。
【００２９】
これら機能の振り分けは一例であって、各機能グループに含まれる機能は任意である。また、３つ以上の機能グループを設けた構成としてもよい。操作スイッチの数についても、装置構成に応じて適宜設定される。また、各機能グループに含まれる機能の数は、操作スイッチの数より少なくてもよく、この場合、機能が割り当てられない操作スイッチが存在することになる。
【００３０】
簡易表示部５５は、左端の操作スイッチ４１の左側に隣接して配置されている。簡易表示部５５は、赤色および黄色に発光可能なＬＥＤからなる発光部５５ａを有している。簡易表示部５５は、後述する制御部６０から出力された簡易表示制御情報に基づき、発光部５５ａを赤色または黄色に発光させる。
【００３１】
制御部６０は、表示操作装置２０の全体の動作を司る機能部であり、ＣＰＵ、ＲＯＭ、ＲＡＭおよび各種インタフェースを備えたコンピュータを有して構成されている。制御部６０は、表示部２１への出力画像の表示制御処理、タッチパネル２２および操作スイッチ４１〜５０に入力された操作の処理等の各種処理を実行する。制御部６０は、成形装置１０のコントローラからの各種表示情報を受信して、これら表示情報に基づく表示制御情報を表示部２１に出力し、タッチパネル２２および操作スイッチ４１〜５０に入力された操作に応じた機能を実行するための機能実行指令情報を成形装置１０のコントローラに送信する。
【００３２】
制御部６０は、ＣＰＵがＲＯＭに格納された制御プログラムを実行することにより、機能ラベル表示制御部、表示機能停止部、機能グループ表示制御部および機能グループ切替部などの各種機能部として機能する。
【００３３】
すなわち、制御部６０は、機能ラベル表示制御部として、選択されている機能グループに含まれる機能を示す機能ラベルを、操作スイッチ４１〜５０のそれぞれに対応するように表示部２１の下部に表示する。また、制御部６０は、機能グループ表示制御部として、選択されている機能グループを簡易表示部５５に表示する。
【００３４】
具体的には、制御部６０は、第１の機能グループＧ１が選択されているとき、図４（ａ）に示すように、第１の機能グループＧ１に含まれている機能を示す機能ラベル３１ａ〜４０ａを表示部２１の下部に表示するとともに、簡易表示部５５の発光部５５ａを赤色に発光させる。各機能ラベル３１ａ〜４０ａは、それぞれ名称部分３１ａ１〜４０ａ１と図形部分３１ａ２〜４０ａ２とを有している。各機能ラベル３１ａ〜４０ａは、第１の機能グループＧ１に対応付けられている赤色系統の配色が施されていることが好ましい。
【００３５】
制御部６０は、第２の機能グループＧ２が選択されているとき、図５（ａ）に示すように、第２の機能グループＧ２に含まれている機能を示す機能ラベル３１ｂ〜４０ｂを表示部２１の下部に表示するとともに、簡易表示部５５の発光部５５ａを黄色に発光させる。各機能ラベル３１ｂ〜４０ｂは、それぞれ名称部分３１ｂ１〜４０ｂ１と図形部分３１ｂ２〜４０ｂ２とを有している。各機能ラベル３１ｂ〜４０ｂは、第２の機能グループＧ２に対応付けられている黄色系統の配色が施されていることが好ましい。
【００３６】
また、制御部６０は、機能グループ切替部として、機能ラベル３１ａ〜４０ａまたは機能ラベル３１ｂ〜４０ｂを表示している状態において、タッチパネル２２の下部（すなわち、上記機能ラベルに対応する箇所）に右スワイプ操作または左スワイプ操作が入力されると、第１の機能グループＧ１および第２の機能グループＧ２のうちの選択されている機能グループを交互に切り替える。右スワイプ操作および左スワイプ操作は、機能グループ選択切替操作に相当する。なお、表示操作装置２０は、機能グループの選択切替用の押しボタンスイッチなどを備えていてもよい。
【００３７】
また、制御部６０は、表示機能停止部として、例えば、タッチパネル２２や操作スイッチ４１〜５０に一定期間（例えば１０分間）にわたって操作が入力されないとき、通常モードから消費電力を抑える省電力モードに移行する。このとき制御部６０は、表示部２１のバックライト（液晶ディスプレイの場合）やＥＬ素子（有機ＥＬディスプレイの場合）の発光を停止し、つまり、表示部２１の表示機能を停止する。これにより、図４（ｂ）、図５（ｂ）に示すように、表示部２１の表示が消える。このとき制御部６０は、選択されている機能グループに対応付けられた色での発光部５５ａの発光を継続させる。なお、制御部６０は、少なくとも表示部２１の表示機能を停止しているときに簡易表示部５５の発光部５５ａを発光させるように構成されていればよい。
【００３８】
また、制御部６０は、操作スイッチ４１〜５０に操作が入力されたとき、操作が入力された操作スイッチに対応する機能ラベルの表示を変化させる。例えば、第１の機能グループＧ１が選択されているときに操作者が指Ｆによって操作スイッチ４２を押下すると、制御部６０は、図６に示すように、操作スイッチ４２に対応する機能ラベル３２ａの図形部分３２ａ２の色を変化させる。これ以外にも、制御部６０は、操作スイッチに操作が入力されたときに、例えば、対応する機能ラベルの文字部分をハイライト表示したり、図形部分の形状を変化させたりしてもよい。
【００３９】
以上説明したように、本実施形態の射出成形機１によれば、表示操作装置２０が、表示部２１に比べて簡易的な構成の簡易表示部５５を有している。そして、表示部２１の表示機能が停止されることにより複数の操作スイッチ４１〜５０に割り当てられた機能を示す機能ラベルが表示されていない状態でも、選択されている機能グループを簡易表示部５５に表示する。このようにしたことから、操作者が、選択されている機能グループをより確実に認識することができるので、操作スイッチ４１〜５０に割り当てられた機能の推定範囲を狭めることができる。そのため、操作スイッチ４１〜５０に割り当てられてた機能を認識できない状態において入力される操作の精度を効果的に高めることができる。
【００４０】
また、第１の機能グループＧ１および第２の機能グループＧ２のそれぞれには互いに異なる色が対応づけられ、簡易表示部５５が、各機能グループのそれぞれに対応付けられた色で発光可能な発光部５５ａを有している。そして、制御部６０が、選択されている機能グループに対応した色で発光部５５ａを発光させることにより、選択されている機能グループを簡易表示部５５に表示する。このようにしたことから、簡易表示部５５の発光部５５ａが発光する色により選択されている機能グループを表示することができ、簡易な構成で機能グループを表示することができる。
【００４１】
また、制御部６０が、操作スイッチ４１〜５０に操作が入力されたとき、操作が入力された操作スイッチに対応する機能ラベルの表示を変化させる。このようにしたことから、操作者が、操作を入力した操作スイッチおよびその操作スイッチに割り当てられた機能をより確実に認識することができる。
【００４２】
また、制御部６０が、表示部２１に重ねて配置されたタッチパネル２２と、タッチパネル２２の下部への右スワイプ操作または左スワイプ操作の入力に応じて第１の機能グループＧ１および第２の機能グループＧ２のうちの選択されている機能グループを切り替える。このようにしたことから、直感的な操作で選択されている機能グループの切り替えを行うことができる。
【００４３】
本実施形態の射出成形機１によれば、表示操作装置２０の操作スイッチ４１〜５０に割り当てられた機能が認識できない状態において入力される操作の精度を効果的に高めることができるので、意図しない操作が入力されることを抑制することができる。
【００４４】
上述した実施形態では、表示操作装置２０において、操作スイッチ４１〜５０が表示部２１の下縁に沿って水平方向に並べて配置されており、左端に配置された操作スイッチ４１の左側に隣接して簡易表示部５５が配置されている構成であったが、これに限定されるものではない。このような簡易表示部５５に代えて、例えば、図７に示すように、操作スイッチ４１〜５５を囲むように配置された簡易表示部５６を有する構成の表示操作装置２０Ａとしてもよい。この簡易表示部５６は、赤色および黄色に発光可能なＬＥＤおよび四角枠状の導光部材を有する発光部５６ａを有している。発光部５６ａは、制御部６０によって選択されている機能グループに応じた色で発光される。このようにすることで、操作スイッチ４１〜５０と簡易表示部５６の発光部５６ａとが互いに関連している印象を与えることができ、操作者が発光部５６ａが発光する色の意味をより確実に認識することができる。
【００４５】
また、上述した実施形態では、簡易表示部５５がＬＥＤからなる発光部５５ａを有する構成であったが、これに限定されるものではない。例えば、時計の文字盤などに用いられるような７セグメント部を備えた液晶表示器を有する簡易表示部を採用し、第１の機能グループＧ１および第２の機能グループＧ２に互いに異なる数字を対応づけるとともに、７セグメント部に数字を表示することにより選択されている機能グループを表示するようにしてもよい。また、簡易表示部において、色や数字以外にも、図形などを用いて各機能グループを表示するようにしてもよい。
【００４６】
また、上述した実施形態では、プラスチックなどの樹脂材料を金型に射出する射出成形機であったが、これに限定するものではない。射出成形機以外にも、例えば、金属材料を金型に圧入するダイカストマシンなど、成形品の材料を金型に注入する成形機であれば、本発明を適用可能である。また、成形機以外の産業機械に本発明を適用してもよい。
【００４７】
上記に本発明の本実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の要旨を備えている限り、本発明の範囲に含まれる。
【符号の説明】
【００４８】
１…射出成形機（成形機）、１０…成形装置、２０、２０Ａ…表示操作装置、２１…表示部、２２…タッチパネル、３１ａ〜４０ａ、３１ｂ〜４０ｂ…機能ラベル、３１ａ１〜４０ａ１、３１ｂ１〜４０ｂ１…名称部分、３１ａ２〜４０ａ２、３１ｂ２〜４０ｂ２…図形部分、４１〜５０…操作スイッチ、５５、５６…簡易表示部、５５ａ、５６ａ…発光部、６０…制御部（機能ラベル表示制御部、表示機能停止部、機能グループ表示制御部、機能グループ切替部）、８００…表示装置、８１０…表示部、８１０ａ…下縁、８１１ａ〜８１４ａ、８１１ｂ〜８１４ｂ、８１１ｃ〜８１４ｃ…ラベル、８２１…ダイレクト画面選択ボタン、Ｇ１…第１の機能グループ、Ｇ２…第２の機能グループ。
【図１】
0006691789.tif 000002
【図２】
0006691789.tif 000003
【図３】
0006691789.tif 000004
【図４】
0006691789.tif 000005
【図５】
0006691789.tif 000006
【図６】
0006691789.tif 000007
【図７】
0006691789.tif 000008
【図８】
0006691789.tif 000009